(57)【要約】通信モジュールが、前面、後面、上面、底面、および２つの側面を有する。接点が前面で露出している。前面は、ワイヤおよび／またはプラグと接点との接続を可能にするように、装着した状態で露出している。相補形コネクタを上面、底面、または側面から受け入れるための少なくとも１つのコネクタが、上面、底面、および側面の少なくとも１つに設けられる。また、少なくとも１つの通信モジュールと、通信モジュールがその上に装着可能なように構成される、少なくとも１つのキャリアと、を含む組み合わせが提供される。
2006521764.tif 000002
【特許請求の範囲】
【請求項１】
前面（３０、１３０、２３０）、後面、上面、底面、および２つの側面を有する通信モジュール（２８、１２８、２２８）であって、接点が上記前面（３０、１３０、２３０）で露出しており、上記前面（３０、１３０、２３０）は、ワイヤおよび／またはプラグ（３４）と接点との接続を可能にするように、装着した状態で露出しており、相補形コネクタ（２０、２２、１２０、１２２）を上記上面、上記底面、または上記側面から受け入れるための少なくとも１つのコネクタ（５６、５８、２５６、２５８）が、上記上面、上記底面、および上記側面の少なくとも１つに設けられる通信モジュール（２８、１２８、２２８）。
【請求項２】
少なくとも１つの別のコネクタ（３２）が、上記前面（３０、１３０、２３０）および／または上記後面に設けられる、請求項１に記載の通信モジュール。
【請求項３】
少なくとも１つの印刷回路基板（７４、１７４）をさらに含む、請求項１または２に記載の通信モジュール。
【請求項４】
上記印刷回路基板（７４、１７４）が着脱自在である、請求項３に記載の通信モジュール。
【請求項５】
上記印刷回路基板（１７４）が、少なくとも１つのコネクタ（５６、５８）を受け入れるための少なくとも１つの凹みを含む、請求項３または４に記載の通信モジュール。
【請求項６】
少なくとも１つのスプリッタ回路をさらに含む、請求項１〜５のいずれか一項に記載の通信モジュール。
【請求項７】
少なくとも１つの試験アクセスをさらに含む、請求項１〜６のいずれか一項に記載の通信モジュール。
【請求項８】
電気的に接続される制御モジュールをさらに含む、請求項１〜７のいずれか一項に記載の通信モジュール。
【請求項９】
上記通信モジュール（１２８）が自身に取付け可能なマーキング素子（６０）を備える、請求項１〜８のいずれか一項に記載の通信モジュール。
【請求項１０】
少なくとも１つの通信モジュール（２８、１２８）と、上記通信モジュール（２８、１２８）がその上に取付けられることを可能にするように構成される、少なくとも１つのキャリア（１０、１１０）との組み合わせ。
【請求項１１】
上記キャリア（１１０）が、ケーブル（１２６）が延びるコネクタ（１２０、１２２）がその上に装着されることを可能にするように構成される、請求項１０に記載の組み合わせ。
【請求項１２】
上記キャリア（１０）に装着可能であり、かつ上記コネクタ（２０）をその上に装着できるように構成される、少なくとも１つのアダプター（１８）をさらに含む、請求項１０または１１に記載の組み合わせ。
【請求項１３】
上記キャリア（１１０）が少なくとも１つのケーブルガイド（５０）を含む、請求項１０〜１２のいずれか一項に記載の組み合わせ。
【発明の詳細な説明】
【技術分野】
【０００１】
本発明は、通信モジュール、および少なくとも１つの通信モジュールを含む組み合わせに関する。
【背景技術】
【０００２】
通信分野において、多数の顧客が通信回線を経由して通信会社のスイッチに接続される。顧客はまた加入者と呼ばれることもある。スイッチはまた交換機とも呼ばれる。加入者とスイッチとの間に、通信回線の部分が通信モジュールに接続される。通信モジュールは、第１側部に入って来るワイヤと第２側部で通信モジュールから延びるワイヤとの間に電気的接続を確立する。通信モジュール内で、切断ポイントが２つの側部の間の電気的接続に設置され得る。かかる切断ポイントで、切断プラグが回線を切断するために挿入され得る。さらに、保護プラグおよびマガジンが知られている。これらはモジュールに接続され、ワイヤに接続したいかなる装置をも過電流および過電圧から保護する。最後に、試験プラグが回線を試験または監視するために切断ポイントで挿入され得る。
【０００３】
上述の通信モジュールはいかなる型の配線ポイントにも設置され得る。典型的な配線ポイントは通信会社の本社に設置された主配線盤である。また一方、例えば、多くの街路または家に役立つ、本社外の配線ポイントのような、別の配線ポイントが当技術分野で周知である。また、オフィスビルまたはビル内のフロアーが配線ポイントを有することがある。
【０００４】
最近、ＡＤＳＬ技術が通信分野で広まった。この技術は２つの異なる信号が単一の回線によって送信されることを可能にする。これは異なる周波数帯を利用することによって達成され、これらの周波数帯で異なる信号は送信される。信号は通信回線の特定のポイントで結合される。結合信号、およびは別のポイントで分割される。信号を分割後に、いわゆるＰＯＴＳ（普通の従来の電話サービスシステム）信号が、「正常な」電話信号を送信するために使用され得る。さらに、分割信号の「他の」部分が、例えば、データを送信するために使用され得る。信号を分割するために使用される、いわゆる分波器が、通常、いかなる配線ポイントにも配置され得る。
【０００５】
分波器を通信モジュールに組み込むことが特許文献１によって開示されている。特許文献２が、コネクタを正面から受け入れることができる配線手段を開示している。
【特許文献１】国際公開第０１／９７３３９  Ａ１号パンフレット
【特許文献２】欧州特許出願公開第０  ３６４  ６５８  Ａ号明細書
【発明の開示】
【課題を解決するための手段】
【０００６】
本発明は通信モジュールを提供し、これは、通信分野の配線ポイントに形成される、高密度の電気的接続を可能にする。具体的に言えば、非常に多くの加入者が、通信モジュールを用いるスペースの節約に満足させられ得る。さらに、上記の利点を有する少なくとも１つの通信モジュールと少なくとも１つのキャリアの組み合わせが提供される。
【０００７】
通信モジュールは、前面、後面、上面、底面、および２つの側面を有する。接点が前面で露出している。前面は、ワイヤおよび／またはプラグと接点との接続を可能にするように、装着した状態で露出している。相補形コネクタを受け入れるための少なくとも１つのコネクタが、相補形コネクタが上面、底面、または側面から受け入れられることを可能にするように、上面、底面、および側面の少なくとも１つに設けられる。
【０００８】
前面、後面、上面、底面、および２つの側面の列挙にもかかわらず、通信モジュールは正の長方形の外観を必ずしも有しない。むしろ、特定の目的のために適当であるかもしれない、いかなる形状および構造も可能である。前面は、接点が前面で露出しているという事実によって規定される。具体的に言えば、前面は装着した状態で露出している。これはワイヤまたはケーブルが接点に接続されることを可能にする。このように、接点はワイヤの接続を可能にするように適合され得る。例えば、接点はＩＤＣ（圧接）として形成され得る。これらの接点は通常開いたスリットを備える。ワイヤが、ワイヤの絶縁がスリットの縁によって切断されるようにスリットに挿入される。このように、ワイヤの金属芯に接触する。さらに、通信モジュールの接点がワイヤラップピンとして形成され得る。ワイヤの露出した端部がこれらのピンに巻き付けられ得る。このように、電気的接続が確立される。通信モジュールの接点はまた、通信モジュールの接点とコネクタまたはプラグと接点との間に電気的接続を確立するように、コネクタまたはプラグに結合されるように構成される接点として形成され得る。この場合に、接点は、ワイヤがそれに接続されることを可能にしない方法で形成され得る。代案として、ワイヤの接続のためにも構成される接点が、通信モジュールの前面に嵌合され得る、コネクタまたはプラグに接続可能に形成され得る。いかなる場合でも、通信モジュールの前面は、相補形コネクタまたはプラグを受け入れるための１つ以上のコネクタ、固定プラグ、またはソッケットを含むことができる。通常、接点が露出しるという事実は、それらは、ワイヤ、ケーブル、および／または通信モジュールに結合され得るコネクタの接点と電気的接続を確立するように、アクセス可能であるということを単に意味する。換言すれば、接点は通信モジュールの前面から延びる必要が必ずしもない。むしろ、それらは、上述の接続および機能が実行されることを可能にするように、通信モジュールの前面の開口部または空洞に設置され得る。
【０００９】
通常、前面は前方を向くように装着した状態で露出している。これは、通信モジュールを装着した状態で見る場合に、前面は主として目に見えることを意味する。具体的に言えば、前面は、ワイヤおよび／またはプラグと通信モジュールの接点との接続を可能にするように露出している。当業者に明らかであろうように、通信回線の部分を構成し、かつ加入者またはスイッチに最終的に通じるワイヤが、その前面で通信モジュールの接点に接続され得る。これらの接続は、必要の場合には接続が調整され得るように、変更可能に形成され得る。
【００１０】
少なくとも１つのコネクタが、通信モジュールの上面、底面、および側面の少なくとも１つに設けられる。このように、本発明は、これまではこの目的のために使用されなかった、ワイヤの接続のための通信モジュールの部品を利用する。プラグを後方から受け取るために後部に形成したコネクタと対照的に、１つ以上のコネクタを上面、底面、および側面に備えることが、取扱い特性に関して利点を与える。述べられた領域は後方よりもかなり容易にアクセスできる。また一方、相補形コネクタを通信モジュールのコネクタに挿入することによる必要な電気的接続が、容易に実行され得る。具体的に言えば、１つ以上のコネクタが上面、底面、および側面の少なくとも１つに設けられ得る。
【００１１】
広い意味で、通信モジュールの述べられた面の１つに設けたコネクタも、１つ以上の接点によって構成され得る。これらの接点は通信モジュールの前面で使用される同じ型であり得る。ワイヤが、ワイヤの接続のために使用される、通信モジュールのその領域を増大させるように、述べられた面の１つでまたこれらの接点に接続され得る。１つ以上の接点の場合に、相補形コネクタは、適当に作られたワイヤおよび／または１つ以上のコネクタによって、プラグまたは類似の部品の形で構成され得る。用語「相補形コネクタ」は、それは、コネクタは上面、底面、および／または少なくとも１つの側面に設けた接点および／またはコネクタとの電気的接続を確立するように構成されることを単に意味するという点で広く受け取られるべきである。通信モジュールに関連して、通信モジュールに電気的に接続可能である相補形コネクタは、それから延びる１つ以上のワイヤまたはケーブルを備える。具体的に言えば、上ならびに下に述べる通信モジュールと、それから延び、かつ通信モジュールに接続可能であるワイヤまたはケーブルを備える、少なくとも１つのコネクタとの組み合わせが、本開示の一部と考えられるべきである。
【００１２】
通信モジュールを用いて、通信分野における配線ポイントでの電気的接続の密度が著しく増大され得る。配線ポイントの型に関しては、通信モジュールは、主配線盤、コロケーション配線ポイント、ケーブルキャビネットのような、いかなる型の配線ポイントにも適用可能である。これらの配線ポイントのどれもが屋内または屋外に設けられ得る。追加部品が通信モジュールに収容される場合に、高密度を同様に維持できる。これは通常通信モジュールの大きさを増大させ、密度を小さくするだろう。また一方、通信モジュールに関して、電気的接続を確立するためにこれまで使用されなかった、その領域および部分が、高密度を達成または維持するために利用される。具体的に言えば、通信モジュールの接点にその前部で接続され得る加入者線の数を比較できるほどに多くできる。単一の通信モジュールによってサービスを受けられる加入者数が、既知の「標準」モジュールと同じ位に多くできる。具体的に言えば、それ以上の部品が通信モジュールに組み込まれる場合は、これがまたその場合である。例として、スプリッタ回路が通信モジュールに組み込まれ得る。これらのスプリッタ回路はＡＤＳＬ技術の使用に関連し、ここでは１つ以上の信号が、別個の周波数帯で単一の通信回線を経由して送信される。１つ以上の信号を織り込む結合信号がいわゆる分波器を用いて分割または結合される。分割信号が適当な接点およびワイヤによってさらに送信される。対応するように、結合信号は通信回線の適当なポイントで２つの別個の信号から生成される。
【００１３】
ＡＤＳＬ技術の使用は通常追加の電気的接続を含む。これらは分波器に関連して確立される必要がある。分波器は通信モジュールに組み込まれ得るので、追加の電気的接続が通信モジュールのために必要である。これは、側部および／または上部および／または底部がこれらの追加の電気的接続のために使用されるという事実に基づいて、通信モジュールを用いて有利に解決される。具体的に言えば、頻繁な変更を最も必要としそうもないであろう、いかなる電気的接続も、通信モジュールの１つ以上のコネクタを経由して形成され得る。例えば、ＡＤＳＬ技術で、ＤＳＬＡＭに通じるケーブルの端部のプラグが、１つ以上のコネクタを経由して通信モジュールに接続され得る。ＤＳＬＡＭは、信号を処理し、かつ例えばデータを送信するであろうデバイスである。信号は上述の結合信号の一部であり得る。ＤＳＬＡＭに通じ、適切な数のワイヤを含み、かつ特定の加入者に各々対応付けられたケーブルが、かなりの時間通信モジュールに接続されたままであることが予想され得る。
【００１４】
これは通信モジュールで考慮される。例えば、通信モジュールは、ＤＳＬＡＭに通じるケーブルのプラグを受け入れるように適合した、側面、底部、または上部にいずれかにコネクタを有することができる。このようにして、電気的接続の一般的な取扱いおよび変更に関する要件が満足される。同時に、通信モジュールの側部、上部、または底部が、例えばＤＳＬＡＭとの必要な接続のために追加して使用されるので、特定の通信モジュールに接続され得る通信回線の加入者数を大きく維持できる。同じように、通信モジュールの１つ以上のコネクタが、複数のＩＳＤＭまたはＰＯＴＳ（一般電話システム）ワイヤが延びるプラグを受け入れるために使用され得る。ＤＳＬＡＭに接続したプラグを受け入れるためのコネクタは、第１側部に設けられることが可能であり、ＩＳＤＭまたはＰＯＴＳ回線に接続したプラグを受け入れるためのコネクタは、第１側部の反対側の第２側部に設けられることが可能である。特にこの場合、通信モジュールの上面および底面は閉じた構造を有することができる。換言すれば、上面および底面は途切れなく形成され、ワイヤ、コネクタなどを受け入れるように適合されない。このように、複数の通信モジュールが、積み重なった配置、ならびに／あるいは上面および／または底面に互いに隣接する配置で設けられ得る。通信モジュールが積み重ねられるか、またはその上面および底面に沿って互いに近接して全体として設置されるので、かかる配置は高密度の電気的接続を実現する複数の通信モジュールを含むブロックを構成する。
【００１５】
通信モジュールで、少なくとも１つのコネクタが、電気的接続を確立するために適当な任意の型のコネクタであり得る。コネクタは単一または複数の接点を備えることができる。コネクタは、ソケット、ジャック、固定プラグとして、またはその他の適当な方法で形成され得る。
【００１６】
接点は任意の型であり得る。具体的に言えば、様々な型のＩＤＣが通信モジュールに設けられ得る。例えば、ＳＩＤ接点、本出願人によって提供されるＩＤ３０００接点、またはＬＳＡ＋−接点として知られる接点が通信モジュールに組み込まれ得る。このように、比較できるほどに安価な通信モジュールが、必要および／または電話会社の選好に従って特定の型の接点を備えることができる。さらに、通信モジュールの前部がそれに組み込まれた接点の型に適合され得る。このように、特定の型の接点を用いてワイヤを通信モジュールに接続するために、特殊工具の使用を可能にすることが可能である。さらに、特定の型の接点が、接点を囲む別の型の筐体と組み合わされ得る。例えば、ＩＤ３０００接点は、接点を収容するために、本出願人から入手できるＳＩＤストリップまたはモジュールで知られる筐体と組み合わされ得る。従って、本出願人から知られるＳＩＤ筐体に構成される終端工具が、述べられた通信モジュールに関連して使用され得る。
【００１７】
上面、底面、および／または少なくとも１つの側面に設けられる、少なくとも１つのコネクタに加えて、通信モジュールは、前面および／または後面に設けられるコネクタをさらに備えることができる。このように、相補形コネクタで終端する多くのワイヤを通信モジュールのコネクタに素早く接続する利点が、通信モジュールの追加的な側面に対して使用され得る。
【００１８】
通信モジュールの１つ以上のコネクタが印刷回路基板（ＰＣＢ）上に設けられ得る。従って、通信モジュールは少なくとも１つのＰＣＢを備えることができる。ＰＣＢは１つ以上のコネクタ、通信モジュールならびに任意の電気部品の接点間の電気的接続を担持する。例えば、１つ以上のスプリッタ回路ならびに任意の型の保護部品が印刷回路基板上に設置され得る。
【００１９】
印刷回路基板は通信モジュールから取り外すことができる。このように、特定の型の印刷回路基板が別の型によって取り換えられ得る。かかる取り換えによって、通信モジュールは交換され、そして実行される機能に関して調整され得る。例えば、通信モジュールは、最初に、種々の接点間に電気的接続を単に施すモジュールとして設けられ得る。第２工程で、電気的接続を備えるＰＣＢは別のＰＣＢによって取り換えられることが可能であり、このＰＣＢ上に１つ以上のスプリッタ回路が電気的接続に加えて形成される。このようにして、通信モジュールは分波モジュールに変更され得る。取り換え可能なＰＣＢと通信モジュールの接点との間の接続が、フォーク形接点によって実現され得る。この場合に、接点のタブ様部分が、例えば通信モジュールの内部に、電気的接続を確立するようにフォーク形接点の切れ込みに受け入れられる。
【００２０】
ＰＣＢは少なくとも１つの凹みを有することができる。具体的に言えば、１つ以上のコネクタが凹みの近くに設置され得る。これは、少なくとも凹みが形成される方向に、通信モジュールのためのスペースを取らない構造をもたらす。多くのワイヤが終端する相補形コネクタが通信モジュールのコネクタに接続される場合に、相補形コネクタは、少なくとも部分的に、凹みに設置されであろう。このようにして、通信モジュールおよびそれに接続される少なくとも１つの相補形コネクタのアセンブリが、凹みが形成されるその方向にスペースを節約するために形成され得る。同じ効果が、通信モジュールは筐体を有し、かつ筐体は少なくとも１つの凹みを有する場合に得られる。１つ以上のコネクタが、スペースを節約するために１つ以上の凹みに受け入れられ得る。さらに、筐体に形成した１つ以上の凹みが、ＰＣＢに形成した１つ以上の凹みと組み合わされ得る。
【００２１】
前述のように、通信モジュールは１つ以上のスプリッタ回路を含むことができる。具体的に言えば、必要なフィルタおよび別の電気部品が、１つ以上のスプリッタ回路と共に、ＰＣＢに設置され得る。このようにして、ＡＤＳＬ技術で有利に使用され得る一体型分波モジュールが形成される。
【００２２】
通信モジュールは少なくとも１つの試験アクセスをさらに含むことができる。通信モジュールの試験アクセスに関しては、ＤＥ  ２０２  ０３  ９１１および／または本出願人によって提出された対応する国際特許出願に対して参照し、これの開示が参照によって本明細書に織り込まれる。試験アクセスは、特定の電気的接続または機能が遠隔試験デバイスから試験されることを可能にする。
【００２３】
通信モジュールは制御モジュールと組み合わされることが可能であり、これは通信モジュールに電気的に接続される。制御モジュールは、必要なスイッチングと、特定の電気的接続および／またはされに接続した回線の試験を可能にするために必要であるかもしれない、その他の動作と、を制御し、管理するために設けられ得る。制御モジュールはバスを用いて１つ以上の通信モジュールに接続され得る。さらに、相補形コネクタが、一方で制御モジュールに、他方で通信モジュールに設けられ得る。通信モジュールの接点および／または接続が、制御モジュールによってアクセスされるように形成され得るので、通信モジュールはアクセスモジュールと呼ばれ得る。
【００２４】
通信モジュールはさらにマーキング素子と組み合わされ得る。マーキング素子は、モジュールの前面に取付けることができる、枠またはブリッジとして形成され得る。例えば、プラスチック、ボール箱、または紙から作られた適当なストリップが、枠またはブリッジに受け入れられ得る。このように、通信モジュールに適当に印をつけることができる。
【００２５】
通信モジュールは、さらに、その上に通信モジュールが装着されることを可能にするように構成される、少なくとも１つのキャリアと組み合わされ得る。キャリアは溝状に形成されることが可能であり、掛止手段、具体的に言えば、通信モジュールの掛止フックと協働できる、適当な開口部または係着縁を有することができる。具体的に言えば、いかなるキャリアも、例えばフレキシレール（Ｆｌｅｘｉｒａｉｌ）、ＩＤ  ３０００、ＳＩＤ、または本出願人によって提供されるＬＳＡプラスという名で知られるキャリアが使用され得る。キャリアは複数の通信モジュールを担持するように適合され得る。また、キャリアは、配線ポイント、具体的に言えば、主配線盤またはケーブルキャビネットで使用され得るか、またはまさに既にある、通信ラックマウントまたはその他の装着システムに装着され得る。
【００２６】
キャリアは、ケーブルが延びるコネクタをそこに保持することを可能にするように適合され得る。かかるコネクタは、通信モジュールのコネクタに対して相補的であるコネクタであり得る。このようにして、キャリアによって保持されたコネクタは通信モジュールのコネクタに接続され得る。この手段は、少なくとも１つのキャリアと少なくとも１つの通信モジュールとの組み合わせで、いかなる型の配線ポイントも費用効率が高い、段階的な構築を可能にする。第１工程で、キャリアは配線ポイントに装着される。それに関連して、ＤＳＬＡＭまたは通信会社のスイッチのようなデバイスとともに電気的接続が取付けられ得る。具体的に言えば、これらの接続のいくつかが一本のケーブルに束ねられ得る。ケーブルの端部に、コネクタ、例えばプラグが設けられ得る。第１工程の完了時、１つ以上のコネクタがキャリアによって保持され得る。このようにして、配線ポイントのための基盤が確立される。第２工程で、１つ以上の通信モジュールがキャリアに装着され、既に準備したコネクタがそれに接続され得る。このようにして、通信モジュールの備えで生じる、かなりのコストが、多くの加入者のための完成した電気的接続が実際に必要になるまで遅らせられ得る。さらに、様々な提供者が、一方で通信モジュールに、他方でＤＳＬＡＭなどとともに電気的接続に関与する。上述の基盤が、キャリアを装着し、それから延びるケーブルを含むコネクタを準備することによって設けられ得る場合に、必要な動作がうまく構成され得る。第２工程で、通信モジュールはキャリアに装着されることが可能であり、アセンブリは準備したコネクタを通信モジュールに接続することによって完成され得る。
【００２７】
少なくとも１つのキャリアと少なくとも１つの通信モジュールとの組み合わせは、少なくとも１つのアダプターを含むことがある。アダプターはキャリアに装着することができる。さらに、アダプターはコネクタをそれに保持するように適合され得る。従って、キャリアはコネクタを保持するように特に構成される必要がない。むしろ、キャリアそれ自体は単にアダプターを保持する必要がある。また一方、アダプターは、典型的なキャリアに装着できるように、かつ１つ以上のコネクタを保持するように形成され得る。アダプターの使用が、通信モジュールはキャリアに装着され、かつコネクタはそれに接続されたので、コネクタはもはやアダプターによって保持される必要がないので、アダプターは取り外され、別のキャリアで使用され得るという利点をさらに有する。
【００２８】
キャリアは少なくとも１つのケーブルガイドを含むことがある。ケーブルガイドは、キャリアに装着できるコネクタから延びるケーブルを受け入れることができる。さらに、ケーブルガイドは、ケーブルを締め付けるか、または効果的に保持するように適当に形成され得る。このように、ケーブルガイドは、コネクタから延びるケーブルを含む、１つ以上のコネクタをキャリアに装着することを可能にする手段を構成できる。
【００２９】
上記の概略のように、特徴を含むキャリアそれ自体は、上述の通信モジュールと組み合わされずに、いくつかの利点をまた有することにさらに留意すべきである。具体的に言えば、述べられた特徴の１つ以上を含むキャリアそれ自体は、本開示の一部と考えられる。
【００３０】
通信モジュールおよび／またはキャリアは、配線ポイントで有利に使用されることが可能であり、この配線ポイントで、第１通信会社によってサービスを受けたいくつかの加入者線が、第２、あるいは新しい通信会社にアクセス可能であることにさらに留意すべきである。これは、新しい通信会社がいくつかの加入者に対する責任を引き受ける場合であろう。かかる配線ポイントはコロケーション分配器と呼ばれ得る。かかる配線ポイントは、通信モジュールおよび／または述べられたキャリアを用いて、小さく、かつスペースを取らないように保つことが可能であり、経済的利点をもたらす。
【００３１】
以下に、本発明は限定されない例を用いて図面を参照して説明されるであろう。
【発明を実施するための最良の形態】
【００３２】
図１に示すように、通信アセンブリのキャリア１０が溝状の形状を有することがある。溝は、底部１２、第１側部１４、ならびに第１側部の反対側の第２側部１６を有する。上下逆さまにされるブリッジの形状が得られるように、図１に示すキャリア１０は比較できるほどに短いことに留意すべきである。また一方、長い溝が得られるように、キャリア１０は見る人から離れる方向により長い延長部分を有することがある。キャリアは金属製であり得る。
【００３３】
アダプター１８が側壁１４、１６の各々に取付けられる。図に図式的に示すように、アダプターは側壁１４、１６に取付けられる。アダプターはプラスチック材料から形成され得る。さらに、アダプターはコネクタ２０および２２を保持する。ケーブル２４および２６それぞれがコネクタ２０および２２からそれぞれ延びる。ケーブルは、コネクタ２０、２２に設けた接点で終端する、多くのワイヤを含む。以下にさらに詳細に説明されるであろうように、コネクタ２０、２２の接点、および、結果として、ケーブル２４および２６に束ねられるワイヤが、通信モジュールに電気的に接続され得る。コネクタ２０に関しては、それから延びるケーブル２４は、例えば、ＤＳＬＡＭに通じることができることを述べることができる。さらに、コネクタ２２から延びるケーブル２６はＩＳＤＮまたはＰＯＴＳサービスに通じることができる。最終的に、ＸＤＳＬ回線がこの場合に通信モジュールの前面に接続されるだろう。通信モジュールは純粋な接続モジュールとして形成され得ることに留意すべきである。この場合に、特定の面における接点および／またはコネクタに接続される、それらの回線が、別の面の接点および／またはコネクタに単に接続される。さらに、通信モジュールのいかなる面も、１つ以上の保護プラグまたはモジュールを受け入れるように適合され得る。上述の特徴が以下に説明される実施形態にも当てはまる。
【００３４】
図２で、キャリア１０に装着した通信モジュール２８が示される。以下にさらに詳細に説明されるであろうように、キャリア１０および通信モジュール２８は互いに協働する機械的装着手段を有する。通信モジュール２８の前部３０に示すように、示された実施形態は、コネクタ、この場合、前部に形成される４つのコネクタ３２を有する。またケーブル３６に束ねられたいくつかのワイヤが終端するコネクタ３４が、通信モジュールのコネクタ３２の１つ以上に接続され得る。このように、コネクタを用いた電気的接続が前部３０に確立され得る。代案、すなわち、個々のワイヤを通信モジュールの個々の接点に接続することが、図３を参照して説明されるであろう。図２に図式的に示すように、図１の状態でアダプター１８によって保持されたコネクタ２０および２２は、そこでは通信モジュール２８に接続される。示された実施形態では、ケーブル４０が延びる別のコネクタ３８が、通信モジュール２８にその後側から接続され得る。このように、通信モジュールとワイヤの外側との間の全ての必要な接続が、図２の実施形態で素早く、かつ容易に確立され得る。
【００３５】
これは図３の実施形態にも当てはまる。図３に示すキャリア１１０もまた、底部（見えない）、第１側壁１１４、および第２側壁１１６を有する略溝状の構造を有する。キャリア１１０の後部に、装着手段４２が、キャリア１１０が通信配線ポイントで適当な装置（図示せず）に取付けられることを可能にするために設けられる。示された場合に、装着手段４２は２つのほぼＵ字形の形材４４を備え、これらはそれらの底部４６で接合される。形材４４は、図３で見えない、そのそれぞれの脚を用いてキャリア１１０の底部に連結される。図示された場合に、開口部４８が、キャリア１１０を通信配線ポイントで適当な装置に装着することを可能にするために設けられる。キャリア１１０および装着手段４２は金属製であり得る。
【００３６】
側壁１１４、１１６の各々に沿って、キャリア１１０はケーブルガイド５０を備える。ケーブルガイド５０は、それぞれの側壁１１４、１１６から外側へ突出する隆起として形成される。ケーブルガイドは、複数の丸みのある、ほぼ円形の開口部または凹み５２を備え、これらは狭い入り口領域５４を通して開いている。入り口領域５４はケーブル１２６が開口部５２に押し込まれることを可能にする。入り口領域５４はケーブル１２６の直径よりもいくらか小さいことがある。従って、ケーブル１２６および／または入り口領域５４を郭成する縁の少なくとも小さい変形が、ケーブル１２６が開口部５２に達することを可能にするために起こらざるを得ない。コネクタ１２２を含むケーブル１２６が開口部５２から取り外される場合は、この力がまた適用されざるを得ないだろう。取付けた状態で、ケーブルガイドはケーブル１２６を保持するのに役立ち、結果として、コネクタ１２２は図３に示す位置にある。具体的に言えば、通信モジュール１２８が未だ無い場合にも、この位置がやはり保持される。これは、（前部から）３番目以上の位置にある、全てのそれらの接続に対して示される。ケーブルガイドは、さらに、よく構成された方法でケーブル１２６をキャリアの後部に案内するのに役立つ。後部（図３では見えない）で、ケーブル１２６はキャリア１１０の底部に沿って走る。このように、ケーブル１２６のよく構成された配置が実現され得る。コネクタ１２２の場合、これらはＤサブコネクタまたはＤサブプラグとして形成され得ることを述べなければならない。
【００３７】
図４〜７を参照してさらに詳細に説明されるであろうように、通信モジュール１２８は側方コネクタ５６および５８を備え、これらはコネクタ１２０および１２２に対して相補的である。このように、コネクタ１２０、１２２は、図３に示すように、コネクタ５６、５８に接続されることが可能であり、電気的接続が確立され得る。
【００３８】
通信モジュール１２８の前面１３０で、複数の接点がワイヤをそれに接続するために露出する。図３に詳細に示されない接点が、ワイヤラップピンだけでなくＩＤＣ（圧接）でもあり得る。マーキング枠またはブリッジ６０が、図面に示す２つの通信モジュール１２８の右側のものに対して示される。枠６０は情報を運ぶストリップを含むことがある。さらに、通信モジュール１２８が適当な情報で示されるように、枠６０はこれに取付けられ得る。
【００３９】
図面の最初の左側壁１１４に関して分かるように、複数の開口部６２が側壁１１４の前縁６４の近くに設けられる。この構造は右側１１６に関してほぼ同一であり、また一方、左側１１４に関してばかりでなく右側１１６に関しても図面に見えない。開口部６２は、ラッチフック６６（左モジュール１２８の右の部分参照）が、通信モジュール１２８をキャリア１１０で保持するように挿入され得ることを可能にする。通信モジュール１２８のキャリア１１０への装着の細部が、本発明に特に関連がないことが理解されるであろう。具体的に言えば、通信モジュール１２８とキャリア１１０との間の異なる型の接続が選択され得る。具体的に言えば、複数の開口部６２の代わりに、１つのより長い連続する開口部が形成され得る。さらに、キャリア１１０は、通信モジュール１２８のラッチフック６６と協働できる、異なる形状の係着縁を備えることができる。示した実施形態では、キャリア１１０ならびに装着手段４２は金属から形成され得る。通信モジュール１２８はプラスチック材料の筐体を備えることがある。またマーキング枠６０もプラスチックから形成され得る。
【００４０】
図４は通信モジュール２２８の別の実施形態の斜視図を示す。前面２３０に、接点は露出している。後部に、撓み性のラッチフック２６６が、通信モジュール２２８がラッチフック２６６と協働するのに適した構造を有するキャリアに接続するのを可能にするために設けられる。図示された場合に、通信モジュール２２８のプラスチック筐体６８が凹み７０を両側に備える。これらの凹みに、コネクタ２５６および２５８が設置される。凹み７０は、そこに受け入れられる外部コネクタ（図示せず）、例えば図３に示すコネクタ１２０、１２２を受け入れるのに役立つ。このようにして、通信モジュール２２８および、述べられた場合に、両側に接続した、２つのコネクタのアセンブリが、通信配線ポイントの状況と一致する寸法を横方向に備える。具体的に言えば、述べられたアセンブリはスペースを節約するように構成され得る。これは高密度の電気的接続を確立することを可能にする。コネクタ２５６、２５８の近くに、示された場合、その前部および後部に、雌ねじを有するねじ素子７２が設けられる。これらは、図４に示すねじ素子７２に入るコネクタ１２０、１２２（図３）に設けられ得る、雄ねじを有する素子にねじ込むために使用され得る。
【００４１】
図５は図４に示す通信モジュール２２８の一部を示す。コネクタ２５６および２５８ならびにねじ素子７２もまた図４に見える。また一方、図５に示すデバイスの残りが通信モジュールの筐体６８に収容されるが、図４に見えない。具体的に言えば、コネクタ２５６、２５８は適当な接続部材７６を用いて印刷回路基板７４に接続される。その前部に、印刷回路基板７４はフォーク形接点７８の列を備える。これらのフォーク形接点は、筐体の内部で、前面２３０で露出する、接点の部分に接触するように構成される。適当な電気的接続（図示せず）が、フォーク形接点７８とコネクタ２５６および２５８との間の印刷回路基板７４上に形成される。このように、加入者線、通信会社のスイッチ、ならびにパッチケーブルの間の所要の電気的接続が設けられ得る。具体的に言えば、図５は、信号を処理せずに必要な接続を単に確立する接続モジュールの実施形態を示す。また一方、保護部品が、例えば印刷回路基板７４を備えることがある。このように、通信モジュールに接続される、いかなる装置も過電圧／過電流から保護され得る。
【００４２】
図６は、図３に既に示された、通信モジュール１２８の実施形態を示す。通信モジュールの全体の外観が、ラッチフック１６６が後方に設置される限り、図４の実施形態のそれに一致する。また一方、筐体は追加部品を収容するために後方に拡張される。
【００４３】
図７に示すように、追加電気部品８０が印刷回路基板１７４のこの後部に設置され、この基板もまた拡張される。例えば、スプリッタ回路が電気部品８０を用いて形成され得る。図７から明らかなように、８つのスプリッタ回路が示された場合に形成される。また一方、通信モジュールの示された実施形態は、８人の加入者をそれに接続するために使用され得る。実験が、通信モジュールは約１７．５ｍｍの高さ（印刷回路基板１７４の面に垂直な寸法）で形成され得ることを示した。これは、通信モジュールに接続され得る、極めて高密度の電気的接続および加入者線に相当する。この効果が、追加的に必要である、それらの電気的接続がコネクタ５６および５８を用いて形成される、両側部を利用することによって実現される。図７から、特に図５との比較から分かるように、印刷回路基板１７４は、電気部品８０が設けられ、かつコネクタ５６、５８が設けられる前領域よりも広い後領域を有する。このように、印刷回路基板１７４は前領域に凹みをつくられる。これは、外部コネクタがコネクタ５６、５８に結合される場合にも、スペースを取らないアセンブリを可能にする。具体的に述べなかった、図７に示すデバイスのそれらの部品が、図５に示すそれらにほぼ一致する。
【図面の簡単な説明】
【００４４】
【図１】２つのコネクタを保持するためのキャリアおよび２つのアダプターを図式的に示す図である。
【図２】図１のキャリアに装着した通信モジュールを図式的に示す図である。
【図３】複数のコネクタおよび２つの通信モジュールを有する第２実施形態におけるキャリアの一部の斜視図である。
【図４】通信モジュールの第１実施形態の斜視図である。
【図５】図４の通信モジュールの一部の斜視図である。
【図６】通信モジュールの第２実施形態の斜視図である。
【図７】図６の通信モジュールの一部の斜視図である。
【図１】
2006521764.tif 000003
【図２】
2006521764.tif 000004
【図３】
2006521764.tif 000005
【図４】
2006521764.tif 000006
【図５】
2006521764.tif 000007
【図６】
2006521764.tif 000008
【図７】
2006521764.tif 000009
【国際調査報告】
2006521764.tif 000010
2006521764.tif 000011
2006521764.tif 000012